(57)【要約】【課題】十分な輝度および照度が得られ、かつ検出感度を高めることができ、しかもコスト低減が可能な照明モジュールを提供する。【解決手段】光源２と、光源２からの光が導入されるシート状の導光体３と、導光体３の一方の面３ａ側に設けられた静電容量式の検知センサ３０と、を備えた照明モジュール１０Ａ。導光体３には、光源２からの導入光を散乱させて他方の面３ｂ側から出射させる光取出部４が形成されている。導光体４は、接着領域３ｆで粘着層５を介して検知センサ３０に接着されている。接着領域３ｆ以外の領域の少なくとも一部は、平面視において検知センサ３０の電極２４ａの少なくとも一部に重なる入力領域７Ａである。入力領域７Ａにおける導光体３と検知センサ３０との間隔は、接着領域３ｆにおける導光体３と検知センサ３０との間隔より小さい。【選択図】図１
2013114618.tif 000002
【特許請求の範囲】
【請求項１】
光源と、
前記光源からの光が導入されて面方向に導かれるシート状の導光体と、
前記導光体の一方の面側に設けられた静電容量式の検知センサと、を備え、
前記導光体には、前記光源からの導入光を散乱させて他方の面側から出射させる光取出部が形成され、
前記導光体は、前記一方の面の一部である接着領域で粘着層を介して前記検知センサに接着され、
前記接着領域以外の領域の少なくとも一部は、平面視において前記検知センサの電極の少なくとも一部に重なる入力領域であり、
前記入力領域における前記導光体と前記検知センサとの間隔は、前記接着領域における前記導光体と前記検知センサとの間隔より小さいことを特徴とする照明モジュール。
【請求項２】
前記検知センサは、前記導光体に向けて突出するセンサ凸状部を有し、
前記導光体と前記センサ凸状部との間隔は、前記入力領域における前記導光体と前記検知センサとの間隔であることを特徴とする請求項１記載の照明モジュール。
【請求項３】
前記検知センサは、被検出体と前記電極との間の静電容量の変化を検出するセンサ本体と、前記導光体に対面して前記導光体からの漏光を反射するシート状の反射体とを備え、
前記センサ凸状部は、前記反射体に形成されていることを特徴とする請求項２記載の照明モジュール。
【請求項４】
前記センサ本体は、基板を有する入力センサと、前記基板上に前記導光体に向けて突出して形成された凸状構造とを有し、
前記センサ凸状部は、前記反射体が前記凸状構造に押圧されて膨出変形することによって形成されていることを特徴とする請求項３記載の照明モジュール。
【請求項５】
前記センサ凸状部は、前記反射体に形成された厚肉部であることを特徴とする請求項３記載の照明モジュール。
【請求項６】
前記導光体は、前記検知センサに向けて突出する導光体凸状部を有し、
前記導光体凸状部と前記検知センサとの間隔は、前記入力領域における前記導光体と前記検知センサとの間隔であることを特徴とする請求項１記載の照明モジュール。
【発明の詳細な説明】
【技術分野】
【０００１】
本発明は、照明機能を有する照明モジュールに関する。
【背景技術】
【０００２】
従来、携帯電話などの電子機器では、照明機能を有するモジュールが用いられている（例えば特許文献１を参照）。
図９は、モジュールの一例を示すもので、このモジュール５０は、面状発光装置５１と、面状発光装置５１の上面側に設けられたタッチパッド５２と、面状発光装置５１の下面側に設けられた反射シート５３とを備えている。
面状発光装置５１は、ＬＥＤなどの光源２と、シート状の導光体３とを有する。光源２は、光を端面から導光体３に入射させることができる。入射した光は導光体３内を面方向に伝搬し、その一部は光取出部４での散乱により導光体３の上面側に出射し、矢印で示すように、タッチパッド５２を透過して利用者に視認される。
面状発光装置５１からの光を透過させるため、タッチパッド５２としては透明導電膜を用いた透明タイプのものが使用される。
【先行技術文献】
【特許文献】
【０００３】
【特許文献１】特開２００２−１００２２３号公報
【発明の概要】
【発明が解決しようとする課題】
【０００４】
図９に示すモジュール５０は、導光体３からの光はタッチパッド５２を透過して利用者に視認されるため、輝度および照度は低くなりやすい。また、タッチパッド５２には透明性が求められるため、コスト面では不利になる。
【０００５】
モジュールとしては、図１０に示す構造も考えられる。
図１０に示すモジュール６０は、面状発光装置６１と、面状発光装置６１の下面側に設けられたタッチパッド６２とを備えている。
タッチパッド６２は、静電容量式の入力センサ６３を有するセンサ本体６４と、センサ本体６４の上面側に設けられた反射シート６５とを備えている。
入力センサ６３は、基板６６の上面に配線層６７が設けられた構成である。
面状発光装置６１の導光体３は、周縁部に形成された粘着層６８によって反射シート６５に接着されている。導光体３は、反射シート６５に対して厚さ方向に間隔をおいて設けられている。導光体３は下面側に空気層があるため、下面側での全反射が起こりやすくなる。
モジュール６０は、表面側に面状発光装置６１があるため、図９のモジュール５０に比べて輝度および照度が向上する。また、タッチパッド６２には透明であることが要求されないため、安価な非透明タイプを使用でき、低コスト化が可能になる。
しかしながら、モジュール６０には、タッチパッド６２の検出感度が不十分になるおそれがある。
本発明は、上記事情に鑑みてなされたものであって、十分な輝度および照度が得られ、かつ検出感度を高めることができ、しかもコスト低減が可能な照明モジュールを提供することを目的とする。
【課題を解決するための手段】
【０００６】
本発明は、光源と、前記光源からの光が導入されて面方向に導かれるシート状の導光体と、前記導光体の一方の面側に設けられた静電容量式の検知センサと、を備え、前記導光体には、前記光源からの導入光を散乱させて他方の面側から出射させる光取出部が形成され、前記導光体は、前記一方の面の一部である接着領域で粘着層を介して前記検知センサに接着され、前記接着領域以外の領域の少なくとも一部は、平面視において前記検知センサの電極の少なくとも一部に重なる入力領域であり、前記入力領域における前記導光体と前記検知センサとの間隔は、前記接着領域における前記導光体と前記検知センサとの間隔より小さい照明モジュールを提供する。
本発明の照明モジュールは、前記検知センサは、前記導光体に向けて突出するセンサ凸状部を有し、前記導光体と前記センサ凸状部との間隔は、前記入力領域における前記導光体と前記検知センサとの間隔である構成としてよい。
本発明の照明モジュールは、前記検知センサが、被検出体と前記電極との間の静電容量の変化を検出するセンサ本体と、前記導光体に対面して前記導光体からの漏光を反射するシート状の反射体とを備え、前記センサ凸状部が、前記反射体に形成されている構成としてよい。  本発明の照明モジュールは、前記センサ本体が、基板を有する入力センサと、前記基板上に前記導光体に向けて突出して形成された凸状構造とを有し、前記センサ凸状部が、前記反射体が前記凸状構造に押圧されて膨出変形することによって形成されている構成としてよい。
本発明の照明モジュールは、前記センサ凸状部が、前記反射体に形成された厚肉部である構成としてよい。
本発明の照明モジュールは、前記導光体が、前記検知センサに向けて突出する導光体凸状部を有し、前記導光体凸状部と前記検知センサとの間隔が、前記入力領域における前記導光体と前記検知センサとの間隔であることが好ましい。
【発明の効果】
【０００７】
本発明によれば、入力領域における導光体と検知センサとの間隔が、接着領域における導光体と検知センサとの間隔に比べて小さいので、入力領域における導光体と電極との間にある空気層を薄くすることができる。
比誘電率の低い空気層を薄くすることで、被検出体と電極との間の静電容量を大きくし、検知センサの検出感度を高めることができる。
また、面状発光装置が上面側（表面側）にあるため、導光体からの光が検知センサによって遮られることがなく、十分な輝度、照度を確保できる。
また、検知センサが面状発光装置の下面側（裏面側）に設置されるため、高価な透明タイプのタッチパッドを使用する必要がないことから、低コスト化を図ることができる。
【図面の簡単な説明】
【０００８】
【図１】本発明の第１実施形態の照明モジュールの概略構成を示す図であり、（Ａ）は全体図、（Ｂ）は拡大図である。
【図２】本発明の第２実施形態の照明モジュールの概略構成を示す図である。
【図３】本発明の第３実施形態の照明モジュールの概略構成を示す図である。
【図４】本発明の第４実施形態の照明モジュールの概略構成を示す図である。
【図５】本発明の第５実施形態の照明モジュールの概略構成を示す図である。
【図６】前図の照明モジュールの化粧板を示す図であり、（Ａ）は断面図、（Ｂ）は平面図である。
【図７】入力センサの配線層の構成の一例を模式的に示す平面図である。
【図８】入力センサの配線層の構成の他の例を模式的に示す平面図である。
【図９】従来の照明モジュールの一例の概略構成を示す図である。
【図１０】従来の照明モジュールの他の例の概略構成を示す図である。
【発明を実施するための形態】
【０００９】
（第１実施形態）
図１は、本発明の第１実施形態である照明モジュール１０Ａの概略構成を示す図であり、（Ａ）は全体図、（Ｂ）は拡大図である。以下の説明において、上方および下方とは、図１における上方および下方をいう。照明モジュール１０Ａは、面状発光装置１と、面状発光装置１の下面側に設けられたタッチパッドユニット３０（検知センサ）とを備えている。
【００１０】
面状発光装置１は、光源２と、シート状（または板状）の導光体３とを備えている。
光源２としては、発光ダイオード（以下、ＬＥＤという）（発光素子）を使用できる。なお、光源２として使用される発光素子は、ＬＥＤに限らず、冷陰極管などでもよい。
【００１１】
導光体３は、透明な光透過性樹脂からなり、可撓性を有することが好ましい。
光透過性樹脂としては、ウレタン樹脂、アクリル樹脂、ポリカーボネート樹脂、シリコーン樹脂、ポリスチレン樹脂、ポリイミド樹脂、ポリメチルメタクリレート（ＰＭＭＡ）のエラストマー、ウレタンアクリレート等を用いることができる。
【００１２】
導光体３の下面３ａ（一方の面、裏面）には、入射光を散乱させて導光体３の上面３ｂ（他方の面、表面）側に取り出す（出射させる）光取出部４を形成することができる。光取出部４によって、目的とする部分（例えばタッチパッド２０の操作キー部）を明るく表示することが可能となる。
【００１３】
光取出部４は、例えば印刷により形成された複数の微小ドット状のインク層（以下、単に微小ドットという）とすることができる。微小ドットはスクリーン印刷法、グラビア印刷法、パッド印刷法、インクジェット印刷法などの印刷法により形成することができる。
微小ドットを構成するインクとしては、例えば顔料として酸化チタンを用いた白色インクが好適である。
なお、光取出部４は、導光体表面に形成された切り欠き、サンドブラスト等によって形成した粗面部などであってもよい。また、光取出部は導光体の上面に設けることもできる。
【００１４】
光源２からの光は、一端部３ｃの端面３ｅから導光体３に導入され、上面３ｂ、下面３ａ等に反射しつつ他端部３ｄに向かって伝搬する。光の一部は、光取出部４で散乱して上面３ｂ側に取り出される。以下、一端部３ｃから他端部３ｄに向かう方向（図１の右方）を、導光方向（面方向）ということがある。
【００１５】
タッチパッドユニット３０は、タッチパッド２０（センサ本体）と、導光体３に対面して導光体３からの漏光を反射する反射シート２６（反射体）とを備えている。
タッチパッド２０（センサ本体）は、入力センサ２１と、その上に形成されたレジスト層２２（被覆樹脂層）とを備えている。
入力センサ２１は、人間の手指等の被検出体２５の近接または接触を検出するセンサである。ここでは、入力センサ２１は静電容量式の入力センサであって、基板２３の上面２３ｂに配線層２４が設けられた構成である。
基板２３は、例えばＰＥＴなどの樹脂で形成された板材である。基板２３は、ＰＥＮ(ポリエチレンナフタレート)、ポリイミド等からなるフレキシブル基板や、ガラスエポキシ樹脂等からなるリジッド基板であってもよい。
【００１６】
配線層２４は、例えば複数の電極２４ａを有する。人間の手指等の被検出体２５が近づくと、被検出体２５と電極２４ａとの間には静電容量が形成され、この静電容量は被検出体２５と電極２４ａとの間の対向面積や離間距離によって変化する。このため、被検出体２５と電極２４ａは可変容量部を形成する。
可変容量部の静電容量の変化は検出手段（図示略）で検出され、その検出値に基づいて制御部（図示略）で被検出体２５による入力操作、その位置等が把握される。
【００１７】
配線層２４は、例えば、銀粒子を含む銀ペーストを基板２３上にスクリーン印刷した後に加熱することで形成することができる。配線層２４は、基板２３に積層した銅箔をエッチングすることにより形成してもよい。
レジスト層２２は、配線層２４間の電気絶縁性を確保するとともに酸化を防止するもので、入力センサ２１の上面（導光体３側の表面）側に、基板２３の上面２３ｂおよび配線層２４を覆って形成される。レジスト層２２としては、例えば汎用のソルダレジストを使用できる。
レジスト層２２は、基板２３の上面２３ｂの中央領域に形成されており、基板２３から上方（導光体３側）に突出する凸状構造である。
【００１８】
入力センサ２１には、電極ごとの静電容量の変化量に基づいて検出を行う、いわゆる自己容量方式を採用してもよいし、電極の交差点ごとの静電容量の変化に伴う充放電電流の変化量に基づいて検出を行う、いわゆる相互容量方式を採用してもよい。
図７は、自己容量方式の入力センサ２１の一例を模式的に示す平面図であって、この入力センサ２１（２１Ａ）では、基板２３上に複数の電極２４ａが、一方向（図７の左右方向）に沿って一列に並んで形成されている。電極２４ａは、左右に間隔をおいて設けられている。
この入力センサ２１（２１Ａ）では、被検出体２５と、これに最も近い電極２４ａとの間に発生する静電容量の変化量に基づいて検出を行う。
【００１９】
図８は、相互容量方式の入力センサ２１の一例を模式的に示す平面図であって、この入力センサ２１（２１Ｂ）では、基板２３上に、一方向（図８の左右方向）に延在する複数の第１電極Ｘ１〜Ｘ８（電極２４ａ）と、これに交差する方向（図８の上下方向）に延在する複数の第２電極Ｙ１〜Ｙ８（電極２４ａ）が形成されている。
この入力センサ２１（２１Ｂ）では、第１電極Ｘ１〜Ｘ８と第２電極Ｙ１〜Ｙ８の交差点との静電容量の変化に伴う充放電電流の変化量に基づいて検出を行う。
【００２０】
図１に示すように、反射シート２６は、導光体３から下方に漏れた光を上面２６ｂで反射させ、導光体３に戻すためのものであって、例えばＰＥＴ（ポリエチレンテレフタレート）などの樹脂からなるシート材である。反射シート２６は反射性の点から白色であることが望ましい。
反射シート２６は、タッチパッド２０の上面側に設けられ、導光体３の下面３ａに対向している。
【００２１】
反射シート２６の上面２６ｂには、タッチパッド２０のレジスト層２２（凸状構造）によって上方（導光体３側）に押圧されて膨出変形（突出）することによってセンサ凸状部２７が形成されている。
【００２２】
導光体３と反射シート２６（詳しくは上面２６ｂ）とは、導光体３の下面３ａの周縁部に形成された粘着層５によって互いに接着されている。下面３ａのうち粘着層５が形成された領域を接着領域３ｆという。接着領域３ｆと反射シート２６の間隔（図１（Ｂ）の間隔Ｃ２）は、粘着層５の厚みに等しく、例えば２０〜５０μｍである。
粘着層５は、例えば、アクリル樹脂、ポリウレタン樹脂、エポキシ樹脂、ウレタン樹脂、天然ゴム系粘着材、合成ゴム系粘着材などの粘着材を用いることができる。粘着層５、６としては、シート状基材の両面に、粘着材料を塗布した粘着材層が形成された、いわゆる両面テープ状とされたものも使用可能である。
【００２３】
導光体３の下面３ａのうち、粘着層５が形成された接着領域３ｆを除く領域は、タッチパッドユニット３０（詳しくは反射シート２６の上面２６ｂ）に対面する対面領域７であり、対面領域７は、反射シート２６に対し厚さ方向に間隔をおいて設けられている。
対面領域７の少なくとも一部は、平面視においてタッチパッド２０の電極２４ａに重なる。図１では、対面領域７の中央領域７Ａは、センサ凸状部２７に対面する領域であり、平面視においてタッチパッド２０の電極２４ａの少なくとも一部に重なる領域（入力領域）である。
なお、入力領域は、接着領域３ｆ以外の全領域であってもよいし、接着領域３ｆ以外の領域の一部であってもよい。
【００２４】
図１（Ｂ）に示すように、導光体３の下面３ａ（中央領域７Ａ）とセンサ凸状部２７との間隔Ｃ１は、粘着層５が形成された領域における導光体３（接着領域３ｆ）と反射シート２６との間隔Ｃ２に比べて小さい。間隔Ｃ１は、例えば５〜２０μｍ（例えば５μｍ以上２０μｍ未満）とすることができる。間隔Ｃ１は、例えば平面視において電極２４ａに重なる位置での下面３ａとセンサ凸状部２７との間隔である。
【００２５】
反射シート２６とタッチパッド２０（詳しくは基板２３の上面２３ｂの周縁部）とは、反射シート２６の下面２６ａの周縁部に形成された粘着層６によって互いに接着されている。粘着層６は粘着層５と同様の構成を採用できる。
【００２６】
照明モジュール１０Ａは、導光体３（中央領域７Ａ）と反射シート２６（センサ凸状部２７）との間隔Ｃ１が、導光体３（接着領域３ｆ）と反射シート２６との間隔Ｃ２に比べて小さい。
このため、中央領域７Ａにおける導光体３と電極２４ａとの間にある空気層を薄くすることができる。比誘電率の低い空気層を薄くすることで、被検出体２５と電極２４ａとの間の静電容量を大きくでき、タッチパッド２０の入力センサ２１の検出感度を高めることができる。
また、照明モジュール１０Ａは、面状発光装置１が上面側（表面側）にあるため、導光体３からの光がタッチパッドユニット３０によって遮られることがなく、十分な輝度、照度を確保できる。
また、タッチパッドユニット３０が面状発光装置１の下面側（裏面側）に設置されるため、高価な透明タイプのタッチパッドを使用する必要がないことから、低コスト化を図ることができる。
【００２７】
（第２実施形態）
図２は、本発明の第２実施形態である照明モジュール１０Ｂの概略構成を示す図である。以下の説明において、第１実施形態の照明モジュール１０Ａとの共通部分については同一符号を付してその説明を省略する場合がある。
照明モジュール１０Ｂは、２層の配線層２４Ａ、２４Ｂを備えたタッチパッド２０Ａ（センサ本体）が用いられている点で、図１の照明モジュール１０Ａと異なる。
【００２８】
タッチパッド２０Ａは、基板２３の上面２３ｂに第１配線層２４Ａが形成され、第１配線層２４Ａが第１レジスト層２２Ａで覆われ、第１レジスト層２２Ａ上に第２配線層２４Ｂが形成され、第２配線層２４Ｂが第２レジスト層２２Ｂ（凸状構造）で覆われた構造を有する。
基板２３と配線層２４Ａ、２４Ｂは入力センサ２１Ｃを構成し、入力センサ２１Ｃとレジスト層２２Ａ、２２Ｂはタッチパッド２０Ａを構成し、タッチパッド２０Ａと反射シート２６はタッチパッドユニット３０Ａを構成する。
レジスト層２２Ａは基板２３の上面２３ｂの全域に形成されている。レジスト層２２Ｂは、レジスト層２２Ａの上面の中央領域に形成されており、レジスト層２２Ａから上方（導光体３側）に突出する凸状構造である。
配線層２４Ａ、２４Ｂは、同じ導電体で形成する必要はなく、例えば配線層２４Ａを銅などの金属で形成し、配線層２４Ｂを銀ペーストやカーボンペーストなどの導電ペーストで形成してもよい。
粘着層６は、レジスト層２２Ａと反射シート２６との間に設けられている。
【００２９】
センサ凸状部２７は、反射シート２６がレジスト層２２Ｂによって上方に押圧されて膨出変形することによって形成されている。
配線層２４Ａ、２４Ｂは、同じ導電体で形成する必要はなく、例えば配線層２４Ａを銅などの金属で形成し、配線層２４Ｂを銀ペーストやカーボンペーストなどの導電ペーストで形成してもよい。
【００３０】
照明モジュール１０Ｂは、導光体３（中央領域７Ａ）と反射シート２６のセンサ凸状部２７との間隔が、導光体３（接着領域３ｆ）と反射シート２６との間隔に比べて小さい。従って、図１の照明モジュール１０Ａと同様に、静電容量を大きくし、検出感度を高めることができる。また、輝度、照度を高めるとともに、低コスト化を図ることができる。
【００３１】
（第３実施形態）
図３は、本発明の第３実施形態である照明モジュール１０Ｃの概略構成を示す図である。
照明モジュール１０Ｃは、上面３６ｂにセンサ凸状部３７を有する反射シート３６を用いる点で、図１の照明モジュール１０Ａと異なる。
センサ凸状部３７（厚肉部）は、反射シート３６の中央領域を厚肉化することによって、上方（導光体３側）に突出して形成されている。センサ凸状部３７は、平面視において電極２４ａを包含する領域に形成されている。反射シート３６の下面３６ａは平坦に形成されている。
【００３２】
照明モジュール１０Ｃは、導光体３（中央領域７Ａ）とセンサ凸状部３７との間隔が、導光体３（接着領域３ｆ）と反射シート３６との間隔に比べて小さい。従って、図１の照明モジュール１０Ａと同様に、静電容量を大きくし、検出感度を高めることができる。また、輝度、照度を高めるとともに、低コスト化を図ることができる。
【００３３】
（第４実施形態）
図４は、本発明の第４実施形態である照明モジュール１０Ｄの概略構成を示す図である。
照明モジュール１０Ｄは、下面３ａに導光体凸状部３ｇを有する導光体３Ａを用いる点で図１の照明モジュール１０Ａと異なる。
導光体凸状部３ｇ（厚肉部）は、導光体３の中央領域を厚肉化することによって、下方（タッチパッドユニット３０側）に突出して形成されている。導光体凸状部３ｇは、平面視において電極２４ａを包含する領域に形成されている。導光体凸状部３ｇは、センサ凸状部２７に対面する領域（入力領域）である。導光体３の上面３ｂは平坦に形成されている。
【００３４】
照明モジュール１０Ｄは、導光体３の導光体凸状部３ｇ（入力領域）と反射シート２６との間隔が、導光体３の接着領域３ｆと反射シート２６との間隔に比べて小さい。従って、図１の照明モジュール１０Ａと同様に、静電容量を大きくし、検出感度を高めることができる。また、輝度、照度を高めるとともに、低コスト化を図ることができる。
【００３５】
（第５実施形態）
図５は、本発明の第５実施形態である照明モジュール１０Ｅの概略構成を示す図である。
この照明モジュール１０Ｅは、導光体３の上面３ｂ側に、化粧板４０（カバー板）が設けられている点で、図１の照明モジュール１０Ａと異なる。
化粧板４０は、平面視において導光体３の略全体を覆うことができる大きさとされ、周縁部に設けられた粘着層４１を介して導光体３の上面３ｂに接着されている。
化粧板４０は、ＰＥＴなどの樹脂材料からなる。化粧板４０には、導光体３から出射した光が外部から視認可能となるように、透明材料を使用するのが好ましい。
化粧板４０を設けることによって、導光体３に傷がついたり汚れが付着するのを防止し、照明モジュール１０Ｅの耐久性を高めることができる。
なお、粘着層６は反射シート２６の下面の一部のみ（例えば周縁部のみ）に形成されていてもよいし、反射シート２６の下面全域に形成されていてもよい。
【００３６】
図６（Ａ）および図６（Ｂ）に示すように、照明モジュール１０Ｅでは、化粧板４０を不透明材料で構成するとともに、化粧板４０に、導光体３からの光を外部から視認可能な開口部４２を形成することもできる。
開口部４２を、数字、文字、記号、図形、模様などを表す形状とすると、その形状に即した発光が得られる。図６（Ｂ）に示す例では、開口部４２は、数字の「１」を示す表示として機能する。
【符号の説明】
【００３７】
１・・・面状発光装置、２・・・光源、３・・・導光体、３ａ・・・下面（一方の面）、３ｂ・・・上面（他方の面）、３ｆ・・・接着領域、３ｇ・・・導光体凸状部、４・・・光取出部、５・・・粘着層、７Ａ・・・導光体の下面の中央領域（入力領域）、１０Ａ〜１０Ｅ・・・照明モジュール、２０・・・タッチパッド、２４ａ・・・電極、２６、３６・・・反射シート（反射体）、２７・・・センサ凸状部、３７・・・センサ凸状部（厚肉部）、３０・・・タッチパッドユニット（検知センサ）、Ｃ１・・・中央領域と反射シートのセンサ凸状部との間隔（入力領域における導光体と検知センサとの間隔）、Ｃ２・・・接着領域と反射シートとの間隔（接着領域における導光体と検知センサとの間隔）。
【図１】
2013114618.tif 000003
【図２】
2013114618.tif 000004
【図３】
2013114618.tif 000005
【図４】
2013114618.tif 000006
【図５】
2013114618.tif 000007
【図６】
2013114618.tif 000008
【図７】
2013114618.tif 000009
【図８】
2013114618.tif 000010
【図９】
2013114618.tif 000011
【図１０】
2013114618.tif 000012